(57)【要約】【課題】  ステータ用絶縁カバー及びモータにおいて、ステータ用絶縁カバーの内周壁部の強度を低下させることなく、巻線と引出線との結束作業を簡単に行えること。【解決手段】  ステータ用絶縁カバーは、環状の外周壁部と、この外周壁部から内周側に延びてステータ鉄心の複数のポール形成部の一端面を夫々覆う複数の端面絶縁部と、これら端面絶縁部の内周端部から軸心方向と平行にステータ鉄心と反対側へ夫々延びる複数の内周壁部１６とを備え、各内周壁部１６に、巻線と引出線を結束する糸を通す開口部１７と、この開口部１７に隣接する架橋部１８と、この架橋部１８に隣接する糸案内部１９とを形成した。【選択図】  図４
2009240082.tif 000002
【特許請求の範囲】
【請求項１】
ステータ鉄心の軸心方向一端面と複数の巻線との間に装着される環状のステータ用絶縁カバーにおいて、
環状の外周壁部と、この外周壁部から内周側に延びて前記ステータ鉄心の複数のポール形成部の一端面を夫々覆う複数の端面絶縁部と、これら端面絶縁部の内周端部から軸心方向と平行にステータ鉄心と反対側へ夫々延びる複数の内周壁部とを備え、
前記各内周壁部に、
前記巻線と引出線を結束する糸を通す開口部と、この開口部に隣接する架橋部と、この架橋部に隣接する糸案内部とを形成したことを特徴とするステータ用絶縁カバー。
【請求項２】
前記架橋部は、前記内周壁部の内端よりも外周側に設けられたことを特徴とする請求項１に記載のステータ用絶縁カバー。
【請求項３】
前記架橋部は、前記端面絶縁部の内周端よりも内周側に位置するように形成されたことを特徴とする請求項１又は２に記載のステータ用絶縁カバー。
【請求項４】
請求項１〜３の何れかに記載のステータ用絶縁カバーを備えたモータ。
【発明の詳細な説明】
【技術分野】
【０００１】
本発明は、ステータ用絶縁カバー及びこのテータ用絶縁カバーを備えたモータに関し、特にステータ用絶縁カバーにおける複数の内周壁部の強度を低下させることなく、巻線と引出線との結束作業を簡単に行えるようにしたものに関する。
【背景技術】
【０００２】
従来、回転子と固定子とを有する種々のモータが実用に供されている。固定子は、複数のポール形成部を有するステータ鉄心と、複数の巻線と、ステータ鉄心の軸心方向の両端面と複数の巻線との間に装着される合成樹脂製のステータ用絶縁カバーなどを備え、このステータ用絶縁カバーによって複数の巻線とステータ鉄心とを絶縁している。
【０００３】
特許文献１には、ステッピングモータにおけるリード線保持板の支持構造が開示され、このステッピングモータには、八角形の周壁部（外周壁部）と、この周壁部と一体成形された８つのポール装着部（端面絶縁部）と、これらポール装着部の先端に夫々一体成形された立ち上がり部（内周壁部）とを備えたステータカバーが設けられている。
【特許文献１】実開平６−７４０５４号公報
【発明の開示】
【発明が解決しようとする課題】
【０００４】
通常、モータにおいては、軸心方向の一端側において、巻線からの引出線は巻線と共に糸で結束されるが、ステータ鉄心に装着されたステータ用絶縁カバーの内周側には、巻装された巻線が外れないようにする為に鍔状の内周壁部が設けられているため、内周壁部が邪魔になって結束作業を行うことが難しい場合がある。そのため、内周壁部に切欠きを夫々設けておき、これらの切欠きに糸を通して巻線と引出線との結束を簡単に行えるようにしている。
しかし、内周壁部に切欠きを設けると内周壁部の剛性、強度が低下するため、結束作業時に巻線で内周壁部を径方向内側へ押圧した場合に内周壁部が破損する虞がある。
【０００５】
本発明の目的は、ステータ用絶縁カバー及びモータにおいて、ステータ用絶縁カバーの内周壁部の剛性、強度を低下させることなく、巻線と引出線との結束作業を簡単に行えることである。
【課題を解決するための手段】
【０００６】
請求項１のステータ用絶縁カバーは、ステータ鉄心の軸心方向一端面と複数の巻線との間に装着される環状のステータ用絶縁カバーにおいて、環状の外周壁部と、この外周壁部から内周側に延びて前記ステータ鉄心の複数のポール形成部の一端面を夫々覆う複数の端面絶縁部と、これら端面絶縁部の内周端部から軸心方向と平行にステータ鉄心と反対側へ夫々延びる複数の内周壁部とを備え、前記各内周壁部に、前記巻線と引出線を結束する糸を通す開口部と、この開口部に隣接する架橋部と、この架橋部に隣接する糸案内部とを形成したことを特徴としている。
【０００７】
このステータ用絶縁カバーには、各内周壁部に、巻線と引出線を結束する糸を通す開口部と、この開口部に隣接する架橋部と、この架橋部に隣接する糸案内部とが形成されている。巻線と引出線との結束作業を行う場合、開口部に通した糸を糸案内部に案内することができるため、結束作業を簡単に行うことができる。内周壁部には、巻線から径方向内側へ力が作用するが、内周壁部には架橋部が形成されたので、内周壁部の剛性、強度が向上する。そのため、結束作業時に巻線で内周壁部を径方向内側へ押圧しても内周壁部が破損しない。
【０００８】
請求項２のステータ用絶縁カバーは、請求項１の発明において、前記架橋部は、前記内周壁部の内端よりも外周側に設けられたことを特徴としている。
【０００９】
請求項３のステータ用絶縁カバーは、請求項１又は２の発明において、前記架橋部は、前記端面絶縁部の内周端よりも内周側に位置するように形成されたことを特徴としている。
【００１０】
請求項４のモータは、請求項１〜３の何れかに記載のステータ用絶縁カバーを備えたことを特徴としている。
【発明の効果】
【００１１】
請求項１の発明によれば、ステータ用絶縁カバーは、環状の外周壁部と複数の端面絶縁部と複数の内周壁部とを備え、各内周壁部に、巻線と引出線を結束する糸を通す開口部と、この開口部に隣接する架橋部と、この架橋部に隣接する糸案内部とを形成したので、各内周壁部に形成した開口部に通した糸を糸案内部に案内することができ、巻線と引出線との結束作業を簡単に行うことができる。しかも、内周壁部のうちの開口部と糸案内部との間に架橋部が形成されたため、内周壁部の剛性、強度を向上させることができる。
【００１２】
請求項２の発明によれば、架橋部は、内周壁部の内端よりも外周側に設けられたので、巻線と引出線を結束が内周壁部の内端より内側へ突出することがない。そのため、ロータ軸をモータに組み付ける際にロータ軸が架橋部や結束用の糸と接触することがない。
【００１３】
請求項３の発明によれば、架橋部は、端面絶縁部の内周端よりも内周側に位置するように形成されたので、軸心方向から視て、架橋部が端面絶縁部の内周端と重ならない。それ故、ステータ用絶縁カバーを成形する際の端面絶縁部と架橋部の型抜き方向を同一方向にすることができるので、成形用金型の構造が複雑化することがない。
【００１４】
請求項４の発明によれば、モータが請求項１〜３の何れかのステータ用絶縁カバーを備えた場合、請求項１〜３の何れかと同様の効果を奏する。
【発明を実施するための最良の形態】
【００１５】
以下、本発明を実施する為の最良の形態について説明する。
【実施例】
【００１６】
本実施例は、モータに本発明を適用したものである。
図１に示すように、モータ１は、回転子３０と、固定子３２と、ケース３３等で構成されている。回転子３０は、ロータ軸３１と、ロータ鉄心３５と、複数の磁石挿入孔３６と、複数の永久磁石３７とを備えている。固定子３２は、複数のポール形成部２ａを有するステータ鉄心２と、複数の巻線３と、合成樹脂製のステータ用絶縁カバー１０，１１を備えている。尚、ケース３３内においてロータ軸３１に冷却用のファン３４が設けられている。
【００１７】
このモータ１は、駆動回路から巻線３に交流電流が通電されると、ステータ鉄心２に回転磁界が発生し、この回転磁界により回転子３０を回転させる回転トルクが発生し、回転子３０が交流電流と同じ周期で回転駆動される。尚、図１の左方を左方とし、右方を右方として説明する。
【００１８】
ステータ鉄心２は筒状に形成され、ステータ鉄心２の外周壁部から内周側に延びる６つのポール形成部２ａが形成されている。ステータ鉄心２の右側と左側には、ステータ用絶縁カバー１０，１１が夫々装着されている。巻線３は、ステータ用絶縁カバー１０，１１の６つの端面絶縁部１３に夫々巻装されている。ステータ鉄心２の右側においては、各巻線３の始端及び終端から引出線４が夫々引き出され、これらの引出線４は巻線３と共に糸５で夫々結束されて外部に導出されている。尚、各ポール形成部２ａの巻線３同士を結合する渡り線が施されている。
【００１９】
次に、ステータ用絶縁カバー１０，１１について説明する。
ステータ鉄心２の左右両側にステータ用絶縁カバー１０，１１が夫々装着されるが、これらステータ用絶縁カバー１０，１１の構成が若干異なっている。
本発明は、ステータ鉄心２の右側に装着されるステータ用絶縁カバー１０に関するものであり、以下このステータ用絶縁カバー１０について説明する。
【００２０】
図３〜図５に示すように、ステータ用絶縁カバー１０は、ステータ鉄心２の軸心方向一端面を絶縁すると共に６つの巻線３を案内するものである。このステータ用絶縁カバー１０は環状に構成され、環状の外周壁部１２と、６つの端面絶縁部１３と、６つの内周壁部１６とを有する。ステータ用絶縁カバー１０は、ステータ鉄心２の軸心方向一端面と６つの巻線３との間に装着される。外周壁部１２から内周側に延びる６つの端面絶縁部１３が設けられている。ステータ鉄心２にステータ用絶縁カバー１０を装着した状態で、ステータ鉄心２の６つのポール形成部２ａに６つの端面絶縁部１３が嵌着される。６つの端面絶縁部１３がステータ鉄心２の６つのポール形成部２ａの一端面を夫々覆うようになっている。尚、図３の最下位置にある端面絶縁部１３の外周端部には切欠き部１４が形成されている。
【００２１】
端面絶縁部１３の外周端部から内周端部に亙って溝部１３ａが形成されている。端面絶縁部１３の内周端部には、軸心方向と平行にステータ鉄心２と反対側へ夫々延びる内周壁部１６が設けられている。内周壁部１６の内周側には、ロータ軸３１を収容する為の空間１０ａが設けられている。図４、図５に示すように、ステータ用絶縁カバー１０の内周壁部１６には、巻線３と引出線４を結束する糸５を通す開口部１７と、この開口部１７に隣接する架橋部１８と、この架橋部１８に隣接する糸案内部１９とが夫々形成されている。
【００２２】
開口部１７は、内周壁部１６の基端から軸心方向中央部に亙って形成され、内周壁部１６の軸心方向中央部よりも先端側（ステータ鉄心２と反対側）に隣接する位置には、架橋部１８が形成されている。架橋部１８は、内周壁部１６の内端よりも外周側に形成されると共に、端面絶縁部１３の内周端よりも内周側に位置するように形成されている。内周壁部１６において架橋部１８よりも先端側（ステータ鉄心２と反対側）に隣接する位置には、切欠き状の糸案内部１９が形成されている。
【００２３】
次に、ステータ鉄心２の左側（図１において）に装着されるステータ用絶縁カバー１１について説明するが、前記ステータ用絶縁カバー１０との相違点についてのみ簡単に説明する。
図１に示すように、ステータ用絶縁カバー１１の内周壁部２１には、開口部と架橋部と糸案内部が形成されておらず、内周壁部２１は、巻線３で内周壁部２１を径方向内側へ押圧した場合にも、切欠きが形成されていないため内周壁部２１が破損することのない十分な強度を有する。外周壁部２０の外端面には、渡り線２２を沿わせて配設した後絶縁テープ２３が貼着されている。尚、ステータ用絶縁カバー１０の場合と同様に、内周壁部２１の内周側には、ロータ軸３１を収容する為の空間１１ａが設けられている。
【００２４】
次に、ステータ用絶縁カバー１０の作用、効果について説明する。
このステータ用絶縁カバー１０には、各内周壁部１６に、巻線３と引出線４を結束する糸５を通す開口部１７と、この開口部１７に隣接する架橋部１８と、この架橋部１８に隣接する糸案内部１９とが形成されている。巻線３と引出線４との結束作業を行う場合、内周壁部１６に形成された開口部１７に通した糸５を糸案内部１９に案内することができるため、結束作業を簡単に行うことができる。内周壁部１６には、巻線３から径方向内側へ力が作用するが、内周壁部１６には架橋部１８が形成されたので、内周壁部１６の剛性、強度が向上する。そのため、結束作業時に巻線３で内周壁部１６を径方向内側へ押圧しても内周壁部１６が破損しない。
【００２５】
このように、ステータ用絶縁カバー１０は、環状の外周壁部１２と６つの端面絶縁部１３と６つの内周壁部１６とを備え、各内周壁部１６に、巻線３と引出線４を結束する糸５を通す開口部１７と、この開口部１７に隣接する架橋部１８と、この架橋部１８に隣接する糸案内部１９とを形成したので、各内周壁部１６に形成した開口部１７に通した糸５を糸案内部１９に案内することができ、巻線３と引出線４との結束作業を簡単に行うことができる。しかも、内周壁部１６のうちの開口部１７と糸案内部１９との間に架橋部１８が形成されたため、内周壁部１６の剛性、強度を向上させることができる。
【００２６】
架橋部１８は、内周壁部１６の内端よりも外周側に設けられたので、巻線３と引出線４を結束が内周壁部１６の内端より内側へ突出することがない。そのため、ロータ軸３１をモータ１に組み付ける際にロータ軸３１が架橋部１８や結束用の糸５と接触することがない。架橋部１８は、端面絶縁部１３の内周端よりも内周側に位置するように形成されたので、軸心方向から視て、架橋部１８が端面絶縁部１３の内周端と重ならない。それ故、ステータ用絶縁カバー１０を成形する際の端面絶縁部１３と架橋部１８の型抜き方向を同一方向にすることができるので、成形用金型の構造が複雑化することがない。
【００２７】
次に、前記実施例を部分的に変更した変更例について説明する。
１］ステータ用絶縁カバー１０をサーボモータ、インダクションモータ、ＤＣモータ、ステッピングモータなど種々のモータに適用することも可能である。
２］ステータ用絶縁カバー１０をステータ鉄心２の左側に装着されるステータ用絶縁カバーに適用することも可能である。
【図面の簡単な説明】
【００２８】
【図１】本発明の実施例に係るステータ用絶縁カバーを備えたモータの要部縦断正面図である。
【図２】固定子の右側面図である。
【図３】ステータ用絶縁カバーの正面図である。
【図４】図３のIV矢視図である。
【図５】ステータ用絶縁カバーの内周壁部の斜視図である。
【符号の説明】
【００２９】
１        モータ
２        ステータ鉄心
２ａ      ポール形成部
３        巻線
４        引出線
１０      ステータ用絶縁カバー
１２      外周壁部
１３      端面絶縁部
１６      内周壁部
１７      開口部
１８      架橋部
１９      糸案内部
【図１】
2009240082.tif 000003
【図２】
2009240082.tif 000004
【図３】
2009240082.tif 000005
【図４】
2009240082.tif 000006
【図５】
2009240082.tif 000007